【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
放送の受信が可能な携帯端末装置であって、
放送局から送信された放送電波を受信する放送受信手段と、
電波の電界強度を検出する電界強度検出手段と、
情報を表示する表示手段と、
当該携帯端末装置の位置情報を取得する位置情報取得手段と、
前記取得した位置情報を参照して、当該携帯端末装置の受信可能な放送局のチャネルを特定するチャネル特定手段と、を備え、
前記表示手段は、前記取得した位置情報と、前記特定した放送局のチャネルリストと、を同時に表示する携帯端末装置。
【請求項２】
放送の受信が可能な携帯端末装置であって、
放送局から送信された放送電波を受信する放送受信手段と、
電波の電界強度を検出する電界強度検出手段と、
情報を表示する表示手段と、
当該携帯端末装置の位置情報を取得する位置情報取得手段と、
前記取得した位置情報を参照して、当該携帯端末装置の受信可能な放送局のチャネルを特定するチャネル特定手段と、を備え、
前記表示手段は、前記取得した位置情報と、前記特定した放送局のチャネル毎に検出した放送電波の電界強度と、を同時に表示する携帯端末装置。
【請求項３】
放送の受信が可能な携帯端末装置であって、
放送局から送信された放送電波を受信する放送受信手段と、
無線により通信する無線通信手段と、
基地局から送信された基地局電波を受信する受信手段と、
電波の電界強度を検出する電界強度検出手段と、
情報を表示する表示手段と、を備え、
前記表示手段は、前記放送電波の電界強度の表示と前記無線通信手段の電界強度表示とを共用することを特徴とする携帯端末装置
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００２９
【補正方法】変更
【補正の内容】
【００２９】
テレビ放送の受信電界レベル３４、４３は、放送電波マークを表示する。図５に、本発明の第１実施形態の放送電波マークの拡大図を示す。放送電波マーク５１は、放送塔マーク５２と、長さの異なる３本のアンテナバー５３からなる。放送塔マーク５２は、アンテナバー５３によって表示される受信電界レベルが放送用電波のものであることを示し、無線通信用電波のものと区別することができる。
【手続補正５】
【補正対象書類名】明細書
【補正対象項目名】００３０
【補正方法】変更
【補正の内容】
【００３０】
３本のアンテナバー５３によって受信電界レベルを表示する技術は、すでに公知である。例えば、テレビ放送の受信電界レベル３４、４３は、受信した映像信号電圧の高低によって行う。映像信号電圧が高いときは、アンテナバー５３を３本表示して電界強度が強く良好なテレビ放送が得られることを通知し、映像信号電圧が中くらいのときは、アンテナバー５３を２本表示して受信電界強度が中程度でほぼ良好なテレビ放送が得られることを通知し、映像信号電圧が低いときは、アンテナバー５３を１本表示し、受信電界強度が弱くてテレビ放送が悪いことを通知し、映像信号電圧がかなり低いときは、アンテナバー５３を表示しないで、受信電界強度が微弱でテレビ放送が乱れ切断される恐れがあることを通知し、映像信号電圧が殆ど検出できないときは、「圏外」を表示してテレビ放送が受信できないことを通知する。
【手続補正６】
【補正対象書類名】明細書
【補正対象項目名】００４０
【補正方法】変更
【補正の内容】
【００４０】
次に、Ｓ１０６のチャネル選択処理について詳細に説明する。図７に、本発明の第１実施形態の携帯電話機によるチャネル選択の処理フロー図を示す。図２のテレビチャネル登録テーブル１１の地域コード２１を検索して、図６のＳ１０３で受信した地域コードと同じ地域コード２１に登録されている受信可能なチャネル２２を取得して、図３に示すテレビチャネル一覧表３３を作成し（Ｓ２０１）、作成したテレビチャネル一覧画面３１を表示する（Ｓ２０２）。
【手続補正７】
【補正対象書類名】明細書
【補正対象項目名】００４７
【補正方法】変更
【補正の内容】
【００４７】
Ｓ１０７、Ｓ２０３の受信電界レベル表示処理について説明する。図８に、本発明の第１実施形態の携帯電話機における受信電界レベルを表示する処理フローを示す。図１のテレビ放送受信部７を指定されたチャネルに合わせ、テレビ放送電波を受信してその電波の電圧を測定する（Ｓ３０１）。測定した電圧が、Ａ以上の場合に（Ｓ３０２；ＹＥＳ）、図５に示すように、アンテナバー５３を３本表示するように設定し（Ｓ３０３）、Ａ未満Ｂ以上の場合に（Ｓ３０４；ＹＥＳ）、アンテナバー５３を２本表示するように設定し（Ｓ３０５）、Ｂ未満Ｃ以上の場合に（Ｓ３０６；ＹＥＳ）、アンテナバー５３を１本表示するように設定し（Ｓ３０７）、さらにＣ未満Ｄ以上の場合に（Ｓ３０８；ＹＥＳ）、アンテナバーを表示しないように設定して、Ｓ３０３、Ｓ３０５、Ｓ３０７またはＳ３０８でそれぞれ設定したアンテナバー５３と共に放送塔マーク５２を表示する（Ｓ３０９）。映像信号電圧がＤ未満の場合には（Ｓ３０８；ＮＯ）、「圏外」と表示する（Ｓ３１０）。Ａ、Ｂ、Ｃ及びＤの大小関係は、Ａ＞Ｂ＞Ｃ＞Ｄである。
【手続補正８】
【補正対象書類名】明細書
【補正対象項目名】００５８
【補正方法】変更
【補正の内容】
【００５８】
図１２に、本発明の第２実施形態の携帯電話機によるラジオ放送を受信する際の処理フロー図を示す。Ｓ１０１からＳ１０４の処理、及びＳ１１１とＳ１１２の処理は、図６に示す第１実施形態の携帯電話機によるテレビ放送を受信する際の処理フロー図と同じ処理を行う。まだ、ラジオ放送を受信していないので（Ｓ４０４；ＮＯ、Ｓ４０５；ＮＯ）、周波数選択処理においてユーザが聴きたいラジオの周波数を選択すると（Ｓ４０６）、ラジオ放送受信部１０７は、選択した周波数に合わせてラジオ放送を受信し、受信したラジオ放送の受信電界強度を測定する。表示部８は、受信したラジオ放送の受信電界強度に基づいた受信電界レベルを表示し（Ｓ４０７）、音声出力部９はラジオ放送を出力する（Ｓ４０８）。Ｓ４０６の処理の詳細は図１３を参照して後述する。
【手続補正９】
【補正対象書類名】明細書
【補正対象項目名】００６１
【補正方法】変更
【補正の内容】
【００６１】
次に、Ｓ４０６の周波数選択処理について詳細に説明する。図１３に、本発明の第２実施形態の携帯電話機による周波数選択の処理フロー図を示す。図１０のラジオ周波数登録テーブル１１１の地域コード１２１を検索して、図１２のＳ４０３で受信した地域コードと同じ地域コード１２１に登録されている受信可能な周波数１２２を取得して、図１１に示すラジオ周波数一覧表１３３を作成し（Ｓ５０１）、作成したラジオ周波数一覧画面１３１を表示する（Ｓ５０２）。
【手続補正１０】
【補正対象書類名】明細書
【補正対象項目名】００６９
【補正方法】変更
【補正の内容】
【００６９】
【図１】本発明の第１実施形態の携帯電話機の構成を示すブロック図
【図２】本発明の第１実施形態のテレビチャネル登録テーブルの例
【図３】本発明の第１実施形態のテレビチャネル一覧画面の例
【図４】本発明の第１実施形態の表示部の表示例
【図５】本発明の第１実施形態の放送電波マークを拡大した図
【図６】本発明の第１実施形態の携帯電話機によるテレビ放送を受信する際の処理フロー図
【図７】本発明の第１実施形態の携帯電話機によるチャネル選択の処理フロー図
【図８】本発明の第１実施形態の携帯電話機における受信電界レベルを表示する処理フロー図
【図９】本発明の第２実施形態の携帯電話機の構成を示すブロック図
【図１０】本発明の第２実施形態のラジオ周波数登録テーブルの例を示す図
【図１１】本発明の第２実施形態のラジオ周波数一覧画面の例を示す図
【図１２】本発明の第２実施形態の携帯電話機によるラジオ放送を受信する際の処理フロー図
【図１３】本発明の第２実施形態の携帯電話機による周波数選択の処理フロー図